(57)【要約】【目的】本発明は建築、構築物の外装材、等として使用できる建築用外装材に関するものである。【構成】幅方向の両端に雄雌連結構造を形成した建築用外装材Ａにおいて、裏面に働き幅よりも広い幅の防水面部５を一体に形成した建築用外装材Ａである。【選択図】        図１
2004197393.tif 000002
【特許請求の範囲】
【請求項１】
幅方向の両端に雄雌連結構造を形成した建築用外装材において、裏面に働き幅よりも広い幅の防水面部を一体に形成したことを特徴とする建築用外装材。
【発明の詳細な説明】
【０００１】
【発明の属する技術分野】
本発明は建築、構築物の外装材、等として使用できる建築用外装材に関するものである。
【０００２】
【従来の技術】
一般に、乾式の建築用外装材を施工する場合には、躯体となる壁下地上に防水シート（アスファルトルーフィング等）を施工し、防水性を向上するものであった。（例えば、特許文献１）
【０００３】
【特許文献１】
特開平１１−２４７３６９号公報
【０００４】
【発明が解決しようとする課題】
しかしながら、通常の屋根材の施工時には、特許文献１のように防水シートを施工するのが普通であるが、作業は面倒であった。このために、建築用外装材を施工するだけで防水性を維持できる建築用外装材が切望されている。
【０００５】
【課題を解決するための手段】
本発明はこのような欠点を除去するために、凹状に成形した表面材の裏面に芯材を充填した建築用外装材において、表面材と芯材の接着を部分的とした建築用外装材を提案するものである。
【０００６】
【発明の実施の形態】
以下に図面を用いて、本発明に係る建築用外装材の一実施例について詳細に説明する。すなわち、建築用外装材Ａは図１（ａ）〜（ｄ）に示すように、化粧面部１と雄型連結部３と雌型連結部４と防水面部５とから形成した建築用外装材Ａである。また、図２（ａ）〜（ｃ）において、図２（ａ）、（ｂ）は施工状態を示す断面図、図２（ｃ）は吊子Ｂを示す斜視図である。
【０００７】
建築用外装材Ａの全体形状の例としては図１（ａ）〜（ｄ）に示すように、長尺状の化粧面２よりなる化粧面部１と、幅方向の一端に形成した雄型連結部３、他端に形成した雌型連結部４、裏面に形成した防水面部５とから形成したものである。また、図２（ａ）、（ｂ）において、αは躯体、βは固定具である。
【０００８】
建築用外装材Ａの一例としては、塩化ビニル樹脂、ポリカーボネイト樹脂等よりなるプラスチック材料（勿論、これらを各種色調に塗装したカラー板を含む）の一種を押出成形等によって各種形状に成形したものからなるものである。
【０００９】
また、建築用外装材Ａは鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものでもよいものである。
【００１０】
雄型連結部３は、化粧面２の一端よりなる突出片６と、突出片６の根本を下方に垂下した最奥片７と、最奥片７の下端を外側方に突出した係合片８と、突出片６と最奥片７と係合片８とからなる係合溝９とから形成したものである。
【００１１】
雌型連結部４は、化粧面２の他端よりなる嵌合片１０と、嵌合片１０の先端を上方に突出した防水片１１と、防水片１１の先端を内側方に突出した防水上片１２と、嵌合片１０と防水片１１と防水上片１２とからなる防水溝１３と、嵌合片１０の根本を下方に垂下した最奥片１４と、最奥片１４の下端を外側方に突出した固定片１５と、嵌合片１０と最奥片１４と固定片１５とからなる嵌合溝１６と、固定片１５の先端を上方に突出した防水片１７とから形成したものである。
【００１２】
防水面部５は、最奥片１４の下端を内側方に突出した防水面１８と、防水面１８の先端を下方に垂下した引っ掛け面１９とから形成したものである。
【００１３】
また、最奥片１４には図１（ｃ）に示すように流水孔１４ａを一定ピッチで形成し、万が一雨水が内部に浸入した際に、躯体内部に浸入せずに下方に流下するようにしたものである。
【００１４】
引っ掛け面１９から防水片１７までの長さＨは、建築用外装材Ａの働き幅Ｗよりも大きく形成（Ｈ＞Ｗ）し、図２（ａ）、（ｂ）に示すように施工した際に、下段の建築用外装材Ａの防水片１７上に上段の建築用外装材Ａの引っ掛け面１９が才知されるように形成し、棟から軒に連続した防水下地面を形成するものである。また、施工時には建築用外装材Ａは図１（ｄ）に示すように変形するものである。
【００１５】
防水溝９は風雨により雨が内部に浸入しようとするのを防止するためのものである。このために、接続構造が落とし込み構造であっても防水性が維持できるものである
【００１６】
防水片１７は防水面１８の先端に形成した引っ掛け面１９を載置すると共に、万が一内部に浸入した雨水が躯体内部に浸入しないように形成したものである。
【００１７】
吊子Ｂは図２（ｃ）に示すように形成したものであり、本体の建築用外装材Ａに直接孔を開けることがなく、防水性が向上するものである。素材の一例としては、金属材（ステンレス等）の成型品（短尺材、あるいは図示しないが長尺材）である。
【００１８】
以上説明したのは本発明に係る建築用外装材の一実施例にすぎず、図３（ａ）〜（ｇ）〜図１１（ａ）〜（ｄ）に示すように形成することもできる。
【００１９】
図３（ａ）〜（ｇ）は流水孔１４ａのその他の実施例を示す説明図である。
【００２０】
図４（ａ）〜（ｄ）は建築用外装材Ａの雄型連結部３、雌型連結部４のその他の実施例を示す説明図である。
【００２１】
図５（ａ）〜（ｄ）〜図８（ａ）〜（ｄ）は防水ジョイントＣ（プラスチック材、金属材、等）を形成した場合の建築用外装材Ａのその他の実施例を示す説明図であり、左右の建築用外装材Ａ間の目地部に（ｃ）図に示すように形成し、目地部（連結部）の防水性を図るものである。
【００２２】
図９は建築用外装材Ａを壁材として使用した場合を示す断面図である。
【００２３】
図１０（ａ）〜（ｄ）、図１１（ａ）〜（ｄ）は建築用外装材Ａのその他の実施例を示す断面図である。
【００２４】
勿論、建築用外装材Ａの裏面に合成樹脂発泡体、石膏ボード、ケイ酸カルシウム板、シージングボード、等の断熱材、結露防止材、補強材（加重による変形防止材）、等を形成することも出来るものである。
【００２５】
【発明の効果】
以上説明したように本発明に係る建築用外装材によれば、▲１▼落とし込み構造に形成したために施工性がよい、▲２▼防水面部を形成したために、別に防水シート（アスファルトフェルト等）を形成しなくとも防水性が維持できる。▲３▼流水孔が内部に浸入した雨水を軒方向に流下させ、躯体まで雨水が浸入することがない。等の特徴、効果がある。
【図面の簡単な説明】
【図１】本発明に係る建築用外装材の代表例を示す説明図である。
【図２】本発明に係る建築用外装材の施工状態を示す断面図と吊子を示す斜視図である。
【図３】本発明に係る建築用外装材のその他の例を示す説明図である。
【図４】本発明に係る建築用外装材のその他の例を示す説明図である。
【図５】本発明に係る建築用外装材のその他の例を示す説明図である。
【図６】本発明に係る建築用外装材のその他の例を示す説明図である。
【図７】本発明に係る建築用外装材のその他の例を示す説明図である。
【図８】本発明に係る建築用外装材のその他の例を示す説明図である。
【図９】本発明に係る建築用外装材のその他の例を示す説明図である。
【図１０】本発明に係る建築用外装材のその他の例を示す説明図である。
【図１１】本発明に係る建築用外装材のその他の例を示す説明図である。
【符号の説明】
α  躯体
β  固定具
Ａ  建築用外装材
Ｂ  吊子
Ｃ  防水ジョイント
１  化粧面部
２  化粧面
３  雄型連結部
４  雌型連結部
５  防水面部
６  突出片
７  最奥片
８  係合片
９  係合溝
１０  嵌合片
１１  防水片
１２  防水上片
１３  防水溝
１４  最奥片
１４ａ  流水孔
１５  固定片
１６  嵌合溝
１７  防水片
１８  防水面
１９  引っ掛け面
【図１】
2004197393.tif 000003
【図２】
2004197393.tif 000004
【図３】
2004197393.tif 000005
【図４】
2004197393.tif 000006
【図５】
2004197393.tif 000007
【図６】
2004197393.tif 000008
【図７】
2004197393.tif 000009
【図８】
2004197393.tif 000010
【図９】
2004197393.tif 000011
【図１０】
2004197393.tif 000012
【図１１】
2004197393.tif 000013
【手続補正書】
【提出日】平成14年12月20日(2002.12.20)
【手続補正１】
【補正対象書類名】明細書
【補正対象項目名】０００５
【補正方法】変更
【補正の内容】
【０００５】
【課題を解決するための手段】
本発明はこのような欠点を除去するために、幅方向の両端に雄雌連結構造を形成した建築用外装材において、裏面に働き幅よりも広い幅の防水面部を一体とした建築用外装材を提案するものである。


【手続補正２】
【補正対象書類名】明細書
【補正対象項目名】００１４
【補正方法】変更
【補正の内容】
【００１４】
引っ掛け面１９から防水片１７までの長さＨは、建築用外装材Ａの働き幅Ｗよりも大きく形成（Ｈ＞Ｗ）し、図２（ａ）、（ｂ）に示すように施工した際に、下段の建築用外装材Ａの防水片１７上に上段の建築用外装材Ａの引っ掛け面１９が載置されるように形成し、棟から軒に連続した防水下地面を形成するものである。また、施工時には建築用外装材Ａは図１（ｄ）に示すように変形するものである。